(57)【要約】多層式衣料は、統合型ベルトループを使用して付着する構成要素を備える。特に、短パン要素の短パンベルトループは、スカート要素の単層のスカートベルトループが外方に方向付けされるとき生ずる開口部に進入することができる。スカートベルトループ及び短パンベルトループは共に、完全に機能的で美的にも満足できるベルトループである。さらに、短パンベルトループはスカートベルトループと結合して統合型ベルトループを形成し、それによりベルトが双方のベルトループのセットの下側を同時に通過し、短パン要素をスカート要素に付着することができる。【選択図】図８
2013540210.tif 000002
【特許請求の範囲】
【請求項１】
複数のスカートベルトループを有するスカート要素であって、前記複数のスカートベルトループの各スカートベルトループは、各スカートベルトループを外方に方向付けするとき、スカート要素内に孔を生ずる、該スカート要素と、
前記複数のスカートベルトループの各１個のスカートベルトループに整列する複数の短パンベルトループを有する短パン要素であって、前記複数の短パンベルトループの各短パンベルトループは、外方に方向付けされた前記複数のスカートベルトループの対応するスカートベルトループによる孔に進入し、また前記複数の短パンベルトループの各短パンベルトループは、前記複数のスカートベルトループの対応するスカートベルトループに押し付けられて、複数の統合型ベルトループを形成する、該短パン要素と、及び
運動用衣料の各統合型ベルトループの内側に挿通するベルトと
を備える、衣料。
【請求項２】
請求項１に記載の衣料において、前記複数のスカートベルトループの各スカートベルトループは、前記スカートベルトループの両側にスカート要素の生地にスリットの切り込みを入れることにより形成する、衣料。
【請求項３】
請求項１に記載の衣料において、前記複数のスカートベルトループの前記スカートベルトループは、前記スカート要素の中心線に関して非対称に配置する、衣料。
【請求項４】
請求項１に記載の衣料において、前記スカート要素は、前記短パン要素の第２ポケットに連結するための第１ポケットを有する、衣料。
【請求項５】
請求項４に記載の衣料において、前記スカート要素の前記第１ポケットは、ジッパー付きポケットを用いて前記短パン要素の前記第２ポケットに連結する、衣料。
【請求項６】
請求項５に記載の衣料において、前記ジッパー付きポケットは、リバーシブルジッパーである、衣料。
【請求項７】
請求項４に記載の衣料において、前記第１ポケットは前記第２ポケットよりも小さい、衣料。
【請求項８】
請求項７に記載の衣料において、前記スカート要素の前記第１ポケットと、前記短パン要素の前記第２ポケットとの連結は、前記第１ポケットを前記第２ポケット内に形成することにより行う、衣料。
【請求項９】
請求項１に記載の衣料において、前記スカート要素は巻きスカートである、衣料。
【請求項１０】
請求項１に記載の衣料において、前記スカート要素は連続的なスカートである、衣料。
【請求項１１】
請求項１０に記載の衣料において、前記スカート要素はリバーシブルである、衣料。
【請求項１２】
請求項１１に記載の衣料において、前記スカート要素はリバーシブルジッパーを有する、衣料。
【請求項１３】
複数のリバーシブルスカートベルトループを有するリバーシブルスカート要素であって、前記複数のリバーシブルスカートベルトループが前記スカート要素の中心線に関して対称に配置され、前記複数のリバーシブルスカートベルトループの各リバーシブルスカートベルトループは、前記リバーシブルスカートベルトループが外方に方向付けされるとき、前記スカート要素内に孔を生ずる、該リバーシブルスカート要素と、
複数の短パンベルトループを有する短パン要素であって、前記複数の短パンベルトループは、それぞれ前記複数のリバーシブルスカートベルトループの１つのリバーシブルスカートベルトループに整列し、前記複数の短パンベルトループの各短パンベルトループは、外方に方向付けされた前記複数のリバーシブルスカートベルトループの対応したリバーシブルスカートベルトループによる孔に進入し、また前記複数の短パンベルトループの各短パンベルトループは前記複数のリバーシブルスカートベルトループの対応したリバーシブルスカートベルトループに対して押し付けられ、複数の統合型ベルトループを形成する、該短パン要素と、及び
前記運動用衣料の各統合型ベルトループの内側に挿通するベルトと
を備える、衣料。
【請求項１４】
請求項１３に記載の衣料において、前記複数のリバーシブルスカートベルトループの各リバーシブルスカートベルトループは前記リバーシブルスカートベルトループの両側に、前記スカート要素の生地にスリットの切り込みを入れることにより形成する、衣料。
【請求項１５】
請求項１３に記載の衣料において、前記スカート要素は、前記短パン要素の第２ポケットに連結する第１リバーシブルポケットを有する、衣料。
【請求項１６】
請求項１３に記載の衣料において、前記複数の短パンベルトループの各短パンベルトループは、前記複数のリバーシブルスカートベルトループの前記対応するリバーシブルスカートベルトループを保持するように湾曲している、衣料。
【請求項１７】
請求項１３に記載の衣料において、前記スカート要素は巻きスカートである、衣料。
【請求項１８】
請求項１３に記載の衣料において、前記スカート要素は連続的なスカートである、衣料。
【請求項１９】
請求項１３に記載の衣料において、スカート要素はリバーシブルジッパーを有する、衣料。
【請求項２０】
活動中に着用者が着用する衣料のスカート要素であって、前記スカート要素は、生地部と、複数のリバーシブルスカートベルトループを有し、前記複数のリバーシブルスカートベルトループの各リバーシブルスカートベルトループは前記生地部に設けた２つの平行なスリットの切り込みを有し、前記生地部の頂部に沿った前記複数のリバーシブルスカートベルトループの整列は、下側に存在する衣料の複数の短パンベルトループにより方向付けられ、その複数の短パンベルトループは前記複数のリバーシブルスカートベルトループに対して押し付けられるときに複数の統合型ベルトループを形成する、スカート要素
【請求項２１】
請求項２０に記載のスカート要素において、前記生地部の前記頂部に沿った前記短パンベルトループの整列は、前記生地部のリバーシブルの方向に依存しない、スカート要素。
【発明の詳細な説明】
【技術分野】
【０００１】
本発明は、多層式（multi-layered）の運動用衣料、例えばアスリートの下半身を覆う衣料に関する。より詳細には、その多層式の運動用衣料は複数の層を有し、統合型ベルトループの使用によりそれら複数の層を一緒に、また着用者に固定する。
【発明の概要】
【発明が解決しようとする課題】
【０００２】
多くの女性は、スカートを美的な外観により選択する。女性はいくつかのスポーツを行う時、上品さを考慮してスカートの下に短パンやズボンを着用することを非常に好む。例えば、ゴルフの試合においてスカートを着用する女性は、一般には更に短パンも着用する。例えば、女性はスカートの下に、１着の短パンを着用することがある。しかし、２着の別個の衣料を着用すると、過度にかさばり衣料間で向きの乱れを生じる結果となり、着用者に不快を感じさせ、着用者にとって融通性を失わせ、及び／又は運動性を低下させる。代わりに何人かの女性は、スカートに恒久的に付着した短パンを着用する。しかし、恒久的に付着するという性質上、着用者は一部のみが破損したときにも衣料全体を捨てることが必要になる。例えば、着用者がスカートに穴を開けてしまった場合、短パンには別に破損がなくても、その衣料全体が破損したことになる。
【課題を解決するための手段】
【０００３】
それゆえ、多層式の運動用衣料であって、構成要素を分離可能に付着する衣料に対する必要性がある。従って、統合（一体）型ベルトループの使用により多層式の運動用衣料の構成要素を分離可能に付着する方法を提供し、この場合、衣料の複数の層からのベルトループを組み合わせて、完全に機能的かつ美的にも満足できる統合型ベルトループとなる。この要求に取り組むために、短パン要素及びスカート要素を有する多層式衣料が開示されている。短パン要素及びスカート要素は統合型ベルトループの使用によりしっかり固定することができる。更に、スカート要素は、スカートの向きとは無関係に短パン要素に付着することができる。特に、スカート要素はリバーシブルであり、これによりスカート要素のいずれの面も、本明細書に論述した内容に従って短パン要素に付着することができる。
【０００４】
本発明による運動用衣料のスカート要素は、一種の織物、又は単一ピースの織物からさえも構成可能である。特に、スカート要素はベルトループを有するワンピース織物から形成でき、これらベルトループは、結果として生じる各ベルトループの両側で材料の一部に２つのスリットをカットすることにより形成する。このようにして、スカートの単層ベルトループはリバーシブルであり、ベルトループは、ベルトを保持するようスカート要素の各面で材料から持ち上げることができる。更に、運動用衣料の短パン要素は、ベルトループ（“短パンベルトループ”）を有する短パン、ズボン、又は下着のいかなる形式であってもよく、そのベルトループはスカート要素のベルトループ（“スカートベルトループ”）に整列する。従って、ベルトを保持することに備えてスカートベルトループを持ち上げるとき、短パンベルトループは、外方に突出するスカートベルトループにより生ずるスカート要素の孔に押し込まれ、それにより短パンベルトループはスカートベルトループに押し付けられる。スカートベルトループに押し付けられる短パンベルトループの各組み合わせは、統合型ベルトループと称することができる。各短パンベルトループ及び各スカートベルトループは、それぞれ美的に魅力があるベルトループとして独立に機能するが、スカートベルトループ及び短パンベルトループの組み合わせもまた、本明細書で説明するように美的に満足できるベルトループとして機能できる。このように、ベルトは、スカートベルトループ及び短パンベルトループを有する統合型ベルトループに通すことができる。
【０００５】
この項では、発明開示の一般的な概要を示し、発明の全範囲又は特徴の全てについての包括的な開示ではない。本明細書に記載した説明から、更なる適用可能な範囲が明らかになるであろう。この概要における説明及び特定の実施例は例示の目的のみを意図しており、本発明の開示の範囲を制限するものではない。
【０００６】
ここに示す図面は、選択された実施形態の例示目的のみで示し、全ての可能な実施を示すものではなく、本発明の開示の範囲を制限するものではない。
【図面の簡単な説明】
【０００７】
【図１】本発明による多層式運動用衣料の実施例の斜視図である。
【図２】部分的に外したベルトを有する、図１の本発明による多層式運動用衣料の実施例の斜視図である。
【図３】部分的に開いたスカート要素を有する、図１の本発明による多層式運動用衣料の実施例の斜視図である。
【図４】図１の本発明による多層式運動用衣料の短パン要素の斜視図である。
【図５】図１の本発明による多層式運動用衣料の統合型ベルトループの断片を示す部分図である。
【図６】図１の本発明による多層式運動用衣料の統合型ベルトループの断片を示す他の部分図である。
【図７】図１の本発明による多層式運動用衣料の統合型ベルトループの分解図である。
【図８】本発明による多層式運動用衣料の第２の実施例の短パン要素の正面図である。
【図９】図８の本発明による多層式運動用衣料のスカート要素の展開図である。
【図１０】図８の本発明による多層式運動用衣料の分解図である。
【図１１】図８の本発明による多層式運動用衣料のスカート要素の第１側面における斜視図である。
【図１２】図８の本発明による多層式運動用衣料のスカート要素の第２側面における斜視図である。
【図１３】図８の本発明による多層式運動用衣料の、ベルトを通した統合型ベルトループの断片を示す部分図である。
【図１４】本発明による多層式運動用衣料の実施例の正面図である。
【図１５】本発明による多層式運動用衣料の実施例のポケットの断片を示す部分図である。
【図１６】本発明による多層式運動用衣料の実施例のポケットの断片を示す部分図である。
【図１７】本発明による多層式運動用衣料の実施例のベルトループの断片を示す部分図である。
【図１８】本発明による多層式運動用衣料のスカート要素を開いた状態にした、第１側面の斜視図である。
【図１９】図１８の本発明による多層式運動用衣料のスカート要素の開いた状態にした第２側面の斜視図である。
【発明を実施するための形態】
【０００８】
対応する参照符号は、幾つかの図面にわたり対応する部分を示す。
【０００９】
図１には、運動用衣料１１０の実施例の斜視図１００を示す。特に、運動用衣料１１０はアスリートのような着用者が、運動中に着用する。運動用衣料１１０は、多層式の衣料であり、短パン要素１２０、スカート要素１３０、及びベルト１４０を有する。短パン要素１２０は短パンベルトループ（この図には示されていない）を有する。更に、スカート要素１３０は短パンベルトループに統合されるスカートベルトループ１３２を有する。
【００１０】
短パン要素１２０の短パンベルトループと、スカート要素１３０のスカートベルトループ１３２を整列させることにより、双方のベルトループのセットを統合又は組み合わせることができ、これにより機能的及び美的に満足できるベルトループを生ずる。特に、各短パンベルトループはスカート要素１３０の開口部を通り抜け、対応するスカートベルトループ１３２に統合される。ベルト１４０を使用して、統合型ベルトループに挿通させることにより、短パン要素１２０をスカート要素１３０に固定する。図１に示すように、ベルト１４０は、運動用衣料１１０の統合型ベルトループを通り抜け、短パン要素１２０をスカート要素１３０に固定する。ベルト１４０を統合型ベルトループに挿通した後、ベルト１４０はベルトボタン（この図には示していない）を使って固定できる。特に、ベルトボタンは、スナップオン動作ボタンの形式とすることができる。代替案として、ベルト１４０は他の形式のボタン係止、ベルトバックルの使用、その他のベルト固定方法を用いて固定する。
【００１１】
図２は、図１の本発明による多層式運動用衣料１１０の実施例の、ベルト１４０を部分的に外した状態にした斜視図２００を示す。図２に示すように、運動用衣料１１０の統合型ベルトループ１５０が、ベルト１４０を通すための単一のベルトループとなる。上述のように、統合型ベルトループ１５０は、短パンベルトループ１２２とスカートベルトループ１３２を組み合わせることにより形成する。更に、図２において、スカート要素１３０は巻きスカートである。代わりに、スカート要素１３０はリバーシブルな連続スカートであり、例えば伸縮性スカート、リバーシブルなジッパー付きのスカート、又はその組み合わせとすることができる。
【００１２】
図３は、図１の本発明による多層式の運動用衣料１１０の実施例の、スカート要素１３０を部分的に開いた状態にした斜視図３００を示す。特に、図３は、スカート要素１３０が短パン要素１２０を覆う方法を示す。図３に示すように、スカート要素１３０は短パン要素１２０に巻き付ける巻きスカートである。従って、短パンベルトループ１２２はスカートベルトループ１３２に整列させる。スカートベルトループ１３２の幅は、短パンベルトループ１２２の幅より僅かに大きく、これによりスカートベルトループ１３２が外方（短パン要素１２０から離れる方向に）方向付けられるとき生ずる開口部に短パンベルトループ１２２が進入することができる。さらに、スカートベルトループ１３２の高さは、短パンベルトループ１２２の高さよりも僅かに高く、これにより短パンベルトループ１２２が上述と同様に生じた開口部に容易に進入することが出来る。特に、各スカートベルトループ１３２が外方に方向付けされることにより、ベルト１４０がベルトループ１２２及び１３２を同時に挿通するときに生ずる開口部に、各短パンベルトループ１２２が十分な距離だけ進入することができる。
【００１３】
さらに、図３には、スカート要素１３０のスカートポケット１３４及び短パン要素１２０の短パンポケット（この図には示していない）を示す。短パンポケット及びスカートポケットは連結することができる。特に、短パンポケット及びスカートポケットは貫通ポケットを用いて連結してもよい。例えば、スカートポケット１３４にジッパーを設けてもよく、これにより短パンポケットへのアクセスが可能となる。更に、ジッパーはリバーシブルであってもよい。代わりに、スカートポケット１３４を短パンポケットに直接連結し、これによりスカートポケット１３４の容積の少なくとも一部を短パンポケット内に確保してもよい。この場合、スカートポケット１３４は短パンポケットよりも小さくなる。
【００１４】
例示的な短パン要素１２０を図４に示す。特に、図４は、図１の本発明による多層式運動用衣料１１０の短パン要素１２０の斜視図４００を示す。短パン要素１２０は、短パンベルトループ１２２及び短パンポケット１２４を有する。短パンポケット１２４は、上述のスカートポケット１３４のようなスカート要素のポケットと統合してもよい。さらに、短パン要素１２０は、他の下着、例えばスカートベルトループ１３２のようなスカート要素のベルトループに整列させた短パンベルトループ１２２を有する短パンなどと交換可能としてもよい。従って、統合型ベルトループを使用して、交換可能な要素を有する多層式運動用衣料を形成することができる。
【００１５】
統合型ベルトループの実施例を図５に示す。特に、図５は、図１の本発明による多層式運動用衣料１１０の統合型ベルトループの断片を示す部分図５００である。特に、短パンベルトループ１２２は、スカートベルトループ１３２が外方に方向付けられるときに生ずる開口部に進入する。さらに、短パンベルトループ１２２はスカートベルトループ１３２に押し付けられて、統合型ベルトループを形成する。これをより明らかに示すために、図６に、図１の多層式運動用衣料１１０の統合型ベルトループの断片における他の部分図６００を示す。図６において、短パンベルトループ１２２は、スカートベルトループ１３２が外方に方向付けられるとき生ずる開口部に部分的に進入する。更に、図７は、本発明による多層式運動用衣料１１０の統合型ベルトループの分解図７００を示す。図７に示すように、短パンベルトループ１２２はスカートベルトループ１３２よりも僅かに狭く、これにより短パンベルトループ１２２は、スカートベルトループ１３２が外方に方向付けされる開口部を容易に進入できる。実施形態において、短パンベルトループ１２２は、スカートベルトループ１３２を保持するようカップ状にする。代わりに、スカートベルトループ１３２を、短パンベルトループ１２２を保持するようカップ状にしてもよい。
【００１６】
短パン要素のベルトループをスカート要素のベルトループと統合するためには、各要素のベルトループを整列させなければならない。従って、図８には、本発明による多層式運動用衣料の第２実施例における短パン要素の正面図８００を示す。図８に示すように、短パンベルトループ２２２の一部は、短パン要素２２０の中心線から「x」で表す距離２２４のところに位置する。さらに、短パンベルトループ２２２の別の一部は、短パン要素２２０の中心線から更に「y」で表す距離（図示せず）のところに位置する。更に図９は、図８の本発明による多層式運動用衣料のスカート要素の展開図９００を示す。
【００１７】
図９に示すように、スカートベルトループ２３２の一部は、スカート要素２３０の中心線から「x」で表す距離２３４のところに位置している。従って、短パン要素２２０の中心線から「x」のところに位置している短パンベルトループ２２２の一部は、スカート要素２３０の中心線から「x」のところに位置しているスカートベルトループ２３２の一部と整列する。さらに、スカートベルトループ２３２の別の一部は、スカート要素２３０の中心線から更に「y」で表す距離２３６のところに位置している。それ故、短パンベルトループ２２２とスカートベルトループ２３２は運動用衣料２１０の中心線２５０に対して対称的に整列する。更に、スカートベルトループ２３２はスカート要素２３０の長さ方向に沿って等距離に配置されている為、スカート要素２３０が第１位置（図示）にあるか又は第２の反転した位置（この図に示していない）にあるかに拠らず、スカートベルトループ２３２は短パンベルトループ２２２に対し整列する。それ故、図１０に示すように、短パン要素２２０をスカート要素２３０に整列させるとき、各要素のベルトループ２２２及び２３２は統合型ベルトループを形成するように組み合わされる。
【００１８】
図１０に、短パン要素２２０をスカート要素２３０に付着させる状況を示す。特に、図１０は、図８の本発明による多層式運動用衣料２１０の分解図１０００を示す。いったん短パン要素２２０及びスカート要素２３０を整列させた後、スカートベルトループ２３２を外方に方向付けしたとき生ずる開口部に短パンベルトループ２２２が進入することにより、各要素のベルトループ２２２及び２３２を統合することができる。特に、短パンベルトループ２２２をスカートベルトループ２３２に結合することにより、ベルトを双方のベルトループセットの下側に同時に挿通させ、これにより短パン要素２２０をスカート要素２３０に付着することができる。
【００１９】
さらに、スカート要素は、多層式運動用衣料から分離可能とすることができる。特にスカート要素は運動用衣料から分離し、単独で着用してもよい。例えば、スカート要素のベルトループが外方に方向付けられるときと、ベルトを通すことによりスカート要素を持ち上げることができる。更に、上述のように、本発明によるスカート要素はリバーシブルとしてもよい。それ故、図１１は、図８の本発明による多層式運動用衣料２１０のスカート要素が第１向きにあるときの斜視図１１００を示す。図１１に示すように、外側に面するスカート要素２３０の第１部分は模様２５０であり、内側に面するスカート要素２３０の第２部分は模様２５５である。更に、スカート要素２３０は、スカート要素の模様２５５が外側に面し、スカート要素２３０の模様２５０が内側に面するように向き決めすることができる。従って、図１２は図８の本発明による多層式運動用衣料のスカート要素が第２の向きにあるときの斜視図１２００を示す。
【００２０】
更に、図１３には、図８の本発明による多層式運動用衣料２１０のベルトを通した統合型ベルトループの断片を示す部分図１３００である。特に、図１３は、統合型ベルトループの内側部分にベルト２４０挿通した状態を示す。統合型ベルトループは、短パンベルトループ２２２及びスカートベルトループ２３２を有する。従って、ベルト１４０を使用して、短パン要素２２０をスカート要素２３０に付着させる。さらに、統合型ベルトループは、運動用衣料２１０の中心線に関して対称に配置することができる。それにより、スカート要素２３０はリバーシブルとすることができる。代わりに、統合型ベルトループは運動用衣料２１０の中心線に関して非対称に配置してもよい。統合型ベルトループがどの程度対称に配置されるかに関わらず、統合型ベルトループを使用して、本発明による運動用衣料２１０の多層を互いに付着させることができる。
【００２１】
図１４は、本発明による多層式運動用衣料１４１０の実施例の正面図１４００を示す。運動用衣料１４１０は、結び付けた多層式衣料であり、短パン要素（図示せず）、スカート要素１４３０、ポケット１４３４、ベルト１４４０、及び統合型ベルトループ１４５０を有する。図１４に示すように、短パン要素（図示せず）はスカート要素１４３０と統合するが、この統合は、短パン要素の短パンベルトループ（図示せず）をスカート要素１４３０のスカートベルトループ（図示せず）と統合し、ベルト１４４０で固定することにより行う。
【００２２】
図１５は、本発明による多層式運動用衣料の実施例のポケット１５３４の断片を示す部分図１５００である。図１５に示すように、短パン要素１５２０は対角線方向に斜めに配置したポケット１５３４及び後方ポケット１５３５を有する。さらに、この部分図１５００は短パンベルトループ１５２２を示す。同様に図１６は、本発明による多層式運動用衣料の実施例のポケット１６３４の断片における部分図１６００を示す。特に、部分図１６００はスカート要素１６３０を示す。従って、部分図１６００は縦ポケット１６３４及び後方ポケット１６３５を有する。更に、スカート要素１６３０のスカートベルトループ１６３２を部分図１６００に示す。
【００２３】
図１７は、本発明による多層式運動用衣料の実施例の短パンベルトループ１７２２の断片における部分図１７００を示す。特に、短パン要素１７２０は短パンベルトループ１７２２を有し、短パン要素の前面部分と後面部分に固定する。これは、図４に示す短パンベルトループ１２２と対照的であり、図４では短パンベルトループ１２２は短パン要素１２０の前面部分でのみ固定される。
【００２４】
図１８は、本発明による多層式運動用衣料の、スカート要素を開いた状態にした第１面の斜視図である。特に図１８は、多層式運動用衣料３１０の短パン要素３２０を覆うスカート要素３３０の第１面３５０を示す。更に、スカート要素３３０はスカート要素３３０の第２面３５５を見せるために開いている。先の実施形態と同様に、ベルト３４０を短パンベルトループ３２２及びスカートベルトループ３３２に通すことにより、スカート要素３３０を短パン要素３２０に固定する。
【００２５】
図１９は、図１８の本発明による開いた位置における多層式運動用衣料のスカート要素を開いた状態にした第２面の斜視図１９００を示す。特に図１９は、多層式運動用衣料３１０の短パン要素３２０を覆うスカート要素３３０の第２面３５５を示す。更に、スカート要素３３０はスカート要素３３０の第１面３５０を見せるために開いている。図１８に示す実施形態と同様に、ベルト３４０を短パンベルトループ３２２及びスカートベルトループ３３２に通すことにより、スカート要素３３０を短パン要素３２０に固定する。
【００２６】
前述の実施形態の説明は、例示及び説明の目的で行ってきた。本発明を網羅し、限定する意図はない。特定の実施形態における個々の要素や特徴は、一般にその特定の実施形態に限定されず、特に指示や説明がないとしても、適用可能であれば、選択した実施形態と交換可能であり、用いることができる。そのような変形は本発明からの逸脱とは見なさず、そのような全ての変更は本発明の範囲に含まれると見なす。
【図１】
2013540210.tif 000003
【図２】
2013540210.tif 000004
【図３】
2013540210.tif 000005
【図４】
2013540210.tif 000006
【図５】
2013540210.tif 000007
【図６】
2013540210.tif 000008
【図７】
2013540210.tif 000009
【図８】
2013540210.tif 000010
【図９】
2013540210.tif 000011
【図１０】
2013540210.tif 000012
【図１１】
2013540210.tif 000013
【図１２】
2013540210.tif 000014
【図１３】
2013540210.tif 000015
【図１４】
2013540210.tif 000016
【図１５】
2013540210.tif 000017
【図１６】
2013540210.tif 000018
【図１７】
2013540210.tif 000019
【図１８】
2013540210.tif 000020
【図１９】
2013540210.tif 000021
【国際調査報告】
2013540210.tif 000022